Podtech/llm-jp-corpus-v4-ja_patent huggingface dataset:
(57)【要約】【課題】電気消費量が少なく、周りを汚すことがなくランニングコストがかからない、また、部屋のインテリアにもなる加湿器を提供する。【解決手段】吸収性に優れた物質の形状について、加湿効果がでるよう表面積を増やす。本体上部１に空気穴３を設け、送風機４を備える。空気は空気穴３から入り、本体下部２の上部から中心を通り、送風機４の方向へ流れる。風が当たるので加湿量を増大することができる。また、部屋のインテリアにもなる。【選択図】図１
2005043031.tif 000002
【特許請求の範囲】
【請求項１】
吸水性に優れた陶器の廃材からなる物質を、効果的に水を吸収し加湿量を増加させる形状と、前記物質内に風が通るように送風手段とを備えることを特徴とする加湿器。
【請求項２】
空気穴を設け、物質の間に空気の通り道を設けることを特徴とする請求項１記載の加湿器。
【発明の詳細な説明】
【発明の詳細な説明】
【技術分野】
【０００１】  本発明は、加湿器に関するものである。
【背景技術】
【０００２】  従来の加湿器は、電気加熱器により水を加熱して蒸発させるスチーム式、超音波発生器により水を蒸発させる超音波式、スポンジ等の毛細管現象により水を気化させる気化式がある。
【発明が解決しようとする課題】
【０００３】  スチーム式は電熱のため、電力消費量が多いという問題点がある。超音波式は、利用した水道水中の塩素や不純物までをも空気中に散布してしまい、加湿器の蒸気放出口の周りが白く汚れてしまう。気化式で、スポンジを使った物は毛細現象を利用しているため、薬品がスポンジに塗布されている。よって機能が弱くなるとスポンジを替える必要があり、ランニングコストがかかる。本発明は、電力消費量が少なく、加湿器の周りを汚すことがなく、ランニングコストがかからない、そして部屋のインテリアにもなる加湿器を提供することを目的とする。
【課題を解決するための手段】
【０００４】  請求項１記載の加湿器は、加湿量を増加させる形状と送風手段を備えることを特徴とする。請求項１記載の加湿器によれば、吸水性の優れた物質に風を当てるので、電熱を多く使わず、周囲を汚すこともなく、スポンジの交換を不要とするため、ランニングコストが低くなる。また、見た目も楽しむことができ、インテリアにもなる。
【０００５】  請求項２記載の加湿器は、請求項１の加湿器において、前記物質に風が通るよう風穴を数箇所設けることで、加湿量を増加することができる。
【発明を実施するための最良の形態】
【０００６】  本発明は、水を吸収性に優れた、陶器の廃材からなる物質を利用するとともに、水の蒸発量を増加させるため、形状に特徴を持たせ、送風機を設置したものである。【０００７】  上記送風機を取り付ける位置は、物質に設けられた風穴を風が通るのを促すのに適当な箇所とする。【０００８】  物質の形状は、表面積を大きくすることで加湿量を増加させるような形状とし、風穴を設ける。
【実施例】
【０００９】  本発明の実施例について、図面を参照して説明する。
（実施例１）【００１０】図１において、加湿器は本体上部１と本体下部２の組み合わせであり、送風機が設置されたものである。本体上部１と本体下部２は、吸水性に優れた陶器の廃材からなる物質を素材とし、図３のように組み合わせる。図１において、容器５は水を入れておける素材からなり、そこに水６を張る。本体上部１と本体下部２の下部は水６に浸り、水６を吸収する。空気は、本体上部１の風穴３から加湿器内に入る。本体下部２の上部を通り、本体上部１の中心から上方へ移動し、送風機４から外部へ出る。なお、図２は外側から見た実施例１である。
（実施例２）【００１１】なお、以下の実施例については、加湿器の基本構造を実施例１と同じくしており、基本構造部分については実施例１の説明をもってこれを省略し、異なる構成についてのみ新しい符号を付して説明する。図４において、中心部付容器１０は、容器中心部１１が高くなっており、水が入らないようになっている。水６は容器中心部１１の周りに入る。図５において、送風機７は中心部付容器１０の容器中心部１１内に設置されている。中心部付容器１０は水を入れておける素材からなる。本体外側８、本体内側９は吸水性に優れた陶器の廃材からなる物質を素材とし、中心部付容器１０内から水６を吸い上げる。湿気を含んだ空気は送風機７の風により、本体内側９内を通り、本体内側９に設けられている風穴３ｂから本体外側８と本体内側９の間に出る。そして、本体外側８に設けられている風穴３ａから外へ出る。風穴３ａ、３ｂ以外の本体外側８または本体内側９の表面からも水は蒸発する。
【発明の効果】
【００１２】  本発明は、以上説明したような形態で実施され、以下に記載されるような効果を奏する。
【００１３】  請求項１記載の加湿器によると、吸収性に優れた物質を水に浸して水を吸収させ、これに風が当たるように送風機を取り付ける。これにより水が蒸発し、加湿器の役割をするので、水の蒸発のための加熱やスポンジ交換を不要にして、加湿器の汚れを防止し、ランニングコストを低減することができる。また、インテリア機能を持たせることができる。請求項２記載の加湿器によると、風穴を設け、風を通りやすくし、加湿機能を高めることができる。
【図面の簡単な説明】
【００１４】
【図１】本発明の加湿器実施例１を示す断面図である。
【図２】本発明の加湿器実施例１を示す正面図である。
【図３】本発明の加湿器実施例１を示す正面図である。
【図４】本発明の加湿器実施例２の中心部付容器を示す正面図である。
【図５】本発明の加湿器実施例２を示す断面図である。
【図６】本発明の加湿器実施例２を示す正面図である。
【符号の説明】
１              本体上部
２              本体下部
３、３ａ、３ｂ  風穴
４、７          送風機
５              容器
６              水
８              本体外側
９              本体内側
１０            中心部付容器
１１            容器中心部
【図１】
2005043031.tif 000003
【図２】
2005043031.tif 000004
【図３】
2005043031.tif 000005
【図４】
2005043031.tif 000006
【図５】
2005043031.tif 000007
【図６】
2005043031.tif 000008
(57)【要約】【課題】  本発明は、爪の周囲にできる甘皮切り専用の器具が存しなかった不便さを解消することによって、マニキュア等による爪美容の効果を高めることを目的とするものである。【解決手段】  本発明は、刃体１の先端部から柄体３の末端部にかけて全体が側面緩やかな弯曲形状に成る器体において、刃体の両刃先部２，２は一方向に弯曲折するとともにその先端部２'，２'を尖鋭にし、柄体の両把持部４，４は断面半円弧形に成り、柄体の両把持部と刃体の両刃先部との交叉部５，５には枢軸部６を交叉部の中心よりやや上側に位置して設け、柄体の一方の把持部の枢軸部に近接した位置に設けた管材７内に伸張弾機を設け、この伸張弾機に内端を当接した押子９の他端部は柄体の他方の把持部に設けた凹溝に嵌挿するようにして成るものである。【選択図】    図２
2005027931.tif 000002
【特許請求の範囲】
【請求項１】
刃体の先端部から柄体の末端部にかけて全体が側面緩やかな弯曲形状に成る器体において、刃体の両刃先部は一方向に弯曲折するとともにその先端部を尖鋭にし、柄体の両把持部は断面半円弧形に成り、柄体の両把持部と刃体の両刃先部との交叉部には枢軸部を交叉部の中心よりやや上側に位置して設け、柄体の一方の把持部の枢軸部に近接した位置に設けた管材内に伸張弾機を設け、この伸張弾機に内端を当接した押子の他端部は柄体の他方の把持部に設けた凹溝に嵌挿するようにして成ることを特徴とする甘皮切り器。
【発明の詳細な説明】
【技術分野】
【０００１】
本発明は、キューティクルニッパーと呼ばれている甘皮切り器に関するものである。
【背景技術】
【０００２】
従来、甘皮切りを目的とした専用の器具は存せず、従来から存していた爪切りやニッパーによって代用されていたことから、専用器の提供が永年待望されていた。
【０００３】
なお、関係する従来技術としては、特表２００３−５０１１９２号に係るブラジル国からの出願（特許文献１参照）が見られるだけであるが、これは本発明との技術的な共通性は皆無である。
【０００４】
【特許文献１】特表２００３−５０１１９２号公報
【発明の開示】
【発明が解決しようとする課題】
【０００５】
そこで、本発明は、爪周囲の甘皮を美麗に切り取る爪美容のための専用の甘皮切り器を提供することを目的とするものである。
【課題を解決するための手段】
【０００６】
本発明は、刃体の先端部から柄体の末端部にかけて全体が側面緩やかな弯曲形状に成る器体において、刃体の両刃先部は一方向に弯曲折するとともにその先端部を尖鋭にし、柄体の両把持部は断面半円弧形に成り、柄体の両把持部と刃体の両刃先部との交叉部には枢軸部を交叉部の中心よりやや上側に位置して設け、柄体の一方の把持部の枢軸部に近接した位置に設けた管材内に伸張弾機を設け、この伸張弾機に内端を当接した押子の他端部は柄体の他方の把持部に設けた凹溝に嵌挿するようにして成るものである。
【発明の効果】
【０００７】
本発明は以上のような手段から成るものであるから、爪の周囲にできる甘皮切り専用のニッパーを提供することができる。
【０００８】
第１に、柄体の両把持部を把持しての切り取り作業は、枢軸部を交叉部の中心よりやや上側に位置させたことによって、開閉運動の支点が両刃先部に近接してその開閉度が小さくなったことから、軽い運動量によって確実かつ迅速に行うことができる。
【０００９】
第２に、刃体から柄体にかけての全体は弯曲ラインに成るから、刃体の刃先部は接地しないような形状に構成されており、刃先部先端尖鋭部の欠損などが起ることはないし、その柄体の把持部は手掌にやさしく把持されることができる。
【００１０】
第３に、開閉時の伸張弾機は外部からは見えず内蔵されているものであるから、弾機の脱離などの故障は起らず、常に円滑な切り取り作業をすることができる。
【発明を実施するための最良の形態】
【００１１】
いま本器の使用者は柄体の両把持部を把持すると、それは手掌内側にやさしく包まれかつ枢軸部が交叉部の中心より上側の両刃先部に近接する位置にあることから、爪の周囲の甘皮部分をよく見ながら両把持部を小きざみに作動すれば、小さくかつ尖鋭に開いている刃先部によって甘皮は簡単かつ確実に切り取られるようになる。
【００１２】
両把持部の開閉作動は、押子を介しての伸張弾機の短い伸縮作用によって、短い距離間で円滑に行われるようになるから、疲労することはない。
【実施例】
【００１３】
本器の全体は、刃体の先端部から柄体の末端部にかけて側面緩やかな弯曲形状に形成するものである。
【００１４】
１は刃体で、この刃体の両刃先部２，２は一方向に弯曲折しかつその先端部２'，２'は尖鋭に成る。
【００１５】
３は柄体で、この柄体の両把持部４，４は断面半円弧形に成る。
【００１６】
５，５は前記柄体３の両把持部４，４と前記刃体１の両刃先部２，２との交叉部で、ある程度の長さを有するこの交叉部に設けた枢軸部６は交叉部の中心よりやや上側に位置して設ける。
【００１７】
７は柄体３の一方の把持部４の前記枢軸部６に近接した位置の内側に設けた管材で、この管材の内部には伸張弾機８を介装する。
【００１８】
９は前記管材７内の伸張弾機８に内端を当接した押子で、この押子の他端部は柄体３の他方の把持部４に設けた凹溝１０に嵌挿するように成る。
【図面の簡単な説明】
【００１９】
【図１】全体の正斜視図
【図２】全体の正面図
【図３】全体を爪先部を下向きにした側面図
【図４】全体を爪先部を上向けにした側面図
【図５】図２Ａ−Ａ線の断面図
【符号の説明】
【００２０】
１                刃体
２，２            刃先部
２'，２'          先端部
３                柄体
４，４            把持部
５，５            交叉部
６                枢軸部
７                管材
８                伸張弾機
９                押子
１０              凹溝
【図１】
2005027931.tif 000003
【図２】
2005027931.tif 000004
【図３】
2005027931.tif 000005
【図４】
2005027931.tif 000006
【図５】
2005027931.tif 000007
(57)【要約】      （修正有）【課題】  接着可能な素材をつけた土台となる物に鞄を逢着し、土台と鞄を一体化する事により、落下を防ぐとともに、盗難防止効果を備え、使い易さと安全性を確保する事を可能とする。【解決手段】  土台１に長短自在に調節し固定できる接着素材２と４を逢着し、１の土台に鞄のマチ部分３を逢着する事により、土台と鞄を一体化し、安定性を確保し、使い易くしたものであるとともに、使用する際は、自在に接着可能な接着素材２と４を重ね合わせる事により、巻きつける物の大、小への対応は、接着素材２と４の重ね合わせの多少で調節することを可能にした物である。【選択図】  図１
2005027997.tif 000002
【特許請求の範囲】
【請求項１】
接着可能素材２と４のついた土台となる物１に収納鞄の本体のマチ部３を逢着した事を特徴とする鞄。
【発明の詳細な説明】
【技術分野】
【０００１】
この発明は、身障者特に車椅子を使用しなければならない障害者が、鞄類を持つことなく、自分の体の一部分（特に脚など）に簡単に巻きつけて使用する事が出来る事を可能にした物である。
【背景技術】
【０００２】
従来は、車椅子を利用しなければならない障害者専用に作られた鞄というものが無く、市販されている健常者用の鞄を使用していた為に、鞄が車椅子から落下したりという事で安定性に欠け、体と一体にする事が出来ず、盗難の不安など、使い勝手が極めて悪く、著しく利便性に欠けていた。
【発明の開示】
【発明が解決しようとする課題】
【０００３】
そこで、この発明は上記の課題を解決する物であり、接着可能な素材をつけた土台となる物に鞄を逢着し、土台と鞄を一体化する事により、落下を防ぐとともに、盗難防止効果を備え、使い易さと安全性を確保する事を可能にした物である。
【０００４】
また、土台に長短自在に調節、固定できる接着素材を逢着する事により、使用する人の体系に合わせる事を可能にし、さらに人体以外の物にも装着する事が出来る事をも可能にした物である。
【課題を解決するための手段】
【０００５】
この発明は、土台１に長短自在に調節し固定できる接着素材２と４を逢着する。
【０００６】
１の土台に鞄のマチ部分３を逢着する事により、土台と鞄を一体化し、安定性を確保し、使い易くしたものである。
【０００７】
使用する際は、自在に接着可能な接着素材２と４を重ね合わせる事により、巻きつける物の（大）（小）への対応は、接着素材２と４の重ね合わせの多少で調節することを可能にした物である。
【発明の効果】
【０００８】
この発明の鞄は以上に述べたように、巻きつける物の大小に関係なく、長短を自在に調節できる接着素材のついた土台に、収納する鞄自体を直接逢着する事により土台と鞄を一体化し、車椅子などを利用している障害者の人達が、鞄の落下や盗難の心配も無く、さらに簡単に脱着が出来るという利便性に大変優れた物である。
【図面の簡単な説明】
【０００９】
【図１】この発明の使用前の実施形態を示す斜示図である。
【図２】この発明の使用前の裏から見た時の実施形態を示す斜示図である。
【図３】この発明の鞄を使用した時の裏から見た時の実施形態を示す斜示図である
【図４】この発明の鞄を使用したときの表から見た時の実施形態を示す斜示図である。
【図５】この発明の土台に接着素材を逢着した時の実施形態を示す斜示図である。
【図６】この発明の土台に逢着する収納鞄の実施形態を示す斜示図である。
【符号の説明】
【００１０】
１  土台
２  接着素材の片割れ
３  収納鞄のマチ部
４  接着素材の片割れ
５  収納鞄のファスナー
【図１】
2005027997.tif 000003
【図２】
2005027997.tif 000004
【図３】
2005027997.tif 000005
【図４】
2005027997.tif 000006
【図５】
2005027997.tif 000007
【図６】
2005027997.tif 000008
(57)【要約】【課題】  綿や軟質発泡体などからなる詰め物の表面を布や軟質合成樹脂シートなどの柔軟なシート材で覆った、幼児用の積み木に関し、教育的要素が盛り込まれた軟質の積み木を提供する。【解決手段】  鳴き笛、鏡、マスコット、素材の異なる布、鈴など、幼児が興味を引くような教育的要素を盛り込んだ玩具を積み木のピースと融合させ、一般的に使用されている布製知育絵本と同じ効果が得られるようにしたものである。すなわち、この発明の知育玩具付軟質積み木は、柔軟な芯材及び表層材を備えた複数ピースからなる軟質積み木において、１セットの積み木を構成する複数のピース２ａ、２ｂ・・・のそれぞれに素材ないし知覚要素を異にする複数種の玩具が取付けられている。【選択図】      図１
2005027946.tif 000002
【特許請求の範囲】
【請求項１】
柔軟な芯材及び表層材を備えた複数ピースからなる軟質積み木において、１セットの積み木を構成する複数のピース(2a,2b)・・・にそれぞれ素材ないし知覚要素を異にする複数種の玩具が取付けられている、知育玩具付軟質積み木。
【発明の詳細な説明】
【技術分野】
【０００１】
この発明は、綿や軟質発泡体などからなる詰め物の表面を布や軟質合成樹脂シートなどの柔軟なシート材で覆った、幼児用の積み木に関するものである。
【背景技術】
【０００２】
従来より幼児用の布製積み木に鳴き笛や鈴などの遊具を内蔵したものがあったが、布製知育絵本と同じ効果が得られるようなものは無かった。
【発明の開示】
【発明が解決しようとする課題】
【０００３】
幼児用の布製積み木に教育的要素が盛り込まれた各種の玩具の付いた軟質の積み木を提供する。
【課題を解決するための手段】
【０００４】
この発明は、鳴き笛、鏡、マスコット、素材の異なる布、鈴など、幼児が興味を引くような教育的要素を盛り込んだ玩具を積み木のピースと融合させ、一般的に使用されている布製知育絵本と同じ効果が得られるようにしたものである。
【０００５】
すなわち、この発明の知育玩具付軟質積み木は、柔軟な芯材及び表層材を備えた複数ピースからなる軟質積み木において、１セットの積み木を構成する複数のピース２ａ、２ｂ・・・のそれぞれに素材ないし知覚要素を異にする複数種の玩具が取付けられている。
【０００６】
一般的には、一個のピースに一種類の玩具を取付けるが、一個のピースに複数種の玩具を取付けても良く、また、１セットの積み木を構成するピースの数により、その中に玩具が取付けられていないピースが含まれていてもよく、また同種の玩具が取付けられた複数のピースが含まれていてもよい。しかし、１セットを構成する複数のピースに素材ないし知覚要素を互いに異にする玩具が取付けた２個以上のピースが含まれていることが必要であり、互いに異なる玩具を取付けた３個以上のピースが含まれていることが望ましい。
【発明の効果】
【０００７】
積み木の１セットを構成する複数のピースのそれぞれに内蔵された異なる種類の知育要素は、視覚、聴覚、触覚などを刺激し、掴む、取出す、しまう、転がすなどの動作を触発し、幼児の指先の訓練や運動機能、感覚機能の発育を促す効果がある。積み木を構成する複数のピースに多様な素材で多様な造りの玩具を組み合わせることで、楽しい遊びを通してたくさんの学びへと発展する工夫を盛り込むことができる。
【発明を実施するための最良の形態】
【０００８】
図１はこの発明の軟質積み木の一実施例を示す図で、積み木を構成する複数のピース２ａ、２ｂ・・・を収納箱１に収納した状態を示した図である。各ピース２ａ、２ｂ・・・は、立方体ないし球形に形成した発泡ウレタンからなる芯材の表面を布で覆ったもので、その内部ないし表面にそれぞれ異なる種類の玩具が、芯材に内蔵して、あるいは表面に縫着などして、取付けられている。
【０００９】
図示の１セットの積み木は、１０個のピース２ａ、２ｂ・・・からなり、図の左上から右方向に各ピースに取付けられた玩具を説明する。
【００１０】
太陽と雲のアップリケ３、３が付いた正方形のピース２ａは、雲が綿のようなふわふわの素材で作られており、ピース表面の布とアップリケ３との素材の違いにより、触ったときの感触が異なる。アップリケの見え方と感触の違いにより、幼児の視覚と触覚を発達させ、素材の見え方と質感の違いも体得できる。
【００１１】
表面にマスコット（動植物や人形などをかたどった布切れや木片など）４を取付けた短い三角柱形のピース２ｂ、２ｂは、例えば複数のマスコットのあるものを合成樹脂シート製、他のものを布製などとし、これらのマスコット４の両端を短い紐を介してピース本体２ｂ、２ｂから浮き上がらせた状態で取付け、あるいはレリーフ状に取付けることにより、これらのマスコットを掴んだり触ったりして遊ぶことができ、素材や形の違いによる見え方や感触の違いが体感できる。
【００１２】
左上の三角柱状のピース２ｃは、表面にメッシュ素材の網布５を取付けてあり、網布５とピース本体との間に取り出し可能に魚マスコット６を入れたもので、マスコット６を掴む、取出す、しまうなどの遊びができ、ものを収納するという習慣や手先の運動機能を発達させるのに役立つ。
【００１３】
花やテントウ虫のアップリケ７、７が付いたピース２ｄは、これらのアップリケ７、７が襞のある布や太い麻糸で織った布などで作られており、触ると襞やかさかさした感触があり、素材の違いと触感の違いが知覚され、触って遊ぶことができるものである。
【００１４】
４枚の花弁の花模様８の付いた矩形のピース２ｅは、内部に鳴き笛（ふいごが組込まれていて押すと鳴る笛）が組込まれており、押したり潰したりしたときの音で運動機能や聴覚が刺激されるものである。
【００１５】
左下に円形で表されているピース２ｆは、球形で、内部に鈴が封入されている。従って、転がす、掴んで振るなどの動作で鈴が鳴り、運動機能や聴覚の発育に役立つ。
【００１６】
その隣のピース２ｇは、正六面体の各面に数の異なる模様９と数字を入れたサイコロのようなピースで、転がったときの不規則な運動の知覚と、数の認識に役立つ。
【００１７】
右下のピース２ｈは短い円筒形で、その一端面に鏡１０が取付けられており、鏡に映るものを見たり触ったりして遊ぶことができるものである。
【００１８】
上記実施例に示すように、この発明の軟質積み木は、１セットを構成する複数の積み木に素材や触感、遊び方の異なる複数の玩具をそれぞれ取付けたもので、多種の遊びを通して幼児の知覚機能や運動機能の発達を促すことができる。
【図面の簡単な説明】
【００１９】
【図１】積み木を構成する複数のピースを収納箱に収納して示した図
【符号の説明】
【００２０】
2(a〜h)  ピース
【図１】
2005027946.tif 000003
(57)【要約】【課題】面ファスナー部を有する固定帯の係合力を改善する。【解決方法】面ファスナー部を有する固定帯の端部に重層構造を用いその重層構造の基布の一部に面ファスナーを用いることで、その緩み、弛みを著しく改善する。【選択図】図１
2005027981.tif 000002
【特許請求の範囲】
【請求項１】
帯状物の端部のうち片方又は、両方の端部が少なくとも二つ以上に分離可能な重層構造を有し、その重層構造に面ファスナー部を有する固定帯。
【発明の詳細な説明】
【技術分野】
【０００１】
本発明は人又は物を固定する目的の面ファスナー部を有する固定帯に関するものである。
【背景技術】
【０００２】
従来、面ファスナー部を有する固定帯において係合素子の形状や、雄側係合素子と雌側係合素子の植栽方法を改善し固定帯を用いた長時間使用緩み、弛み、離開を改善する提案がなされている。
【０００３】
【特許文献１】実開昭58−080218号
【０００４】
【特許文献２】特開2003−2100号
【発明の開示】
【発明が解決しようとする課題】
【０００５】
この様な取り組みは本来各係合素子が植栽された面ファスナー部の面積を拡大することで緩み、弛み、離開を改善することが出来るが、取扱上の問題等その面積を拡大し改善するには制限があった。
本発明は課題を解決する為に固定帯の端部に挟み形式のかに重層構造を用いる事で解決する知見を得その効果の検証を行った。
【課題を解決するための手段】
【０００６】
【発明の効果】
【０００７】
本発明の重層構造を有する固定帯は著しく改善された面ファスナー面積により長時間使用しても緩まなかった
【実施例１】
【０００８】
本発明の実施例を図１、図２、図３を参照し説明する。図1は固定帯の両端をA社製面ファスナーを用い二重の重層構造を用いた例である。実施例１は重層構造を有しない固定帯の各係合面積は三倍になりその係合力は著しく改善された。
【実施例２】
【０００９】
実施例1と同様に固定帯の両端部にB社製の同一基布面に雄側係合素子と雌側係合素子を植栽された部分を有する面ファスナーを用いた。
重層構造を有しない比較例と実施例1、2を用いた軽作業時の装着試験を行った。
【００１０】
【表１】
2005027981.tif 000003
表1に明らかなように実施例1、2は装着後120分経過しても緩まず軽作業を行えたのに比較例は装着後30分で緩み60分経過時では締め直さなければ軽作業を続行出来なかった。
【図面の簡単な説明】
【００１１】
【図１】重層構造を有する固定帯の全体図である。
【図２】実施例1の係合部のイメージ図である。
【図３】実施例2の係合部のイメージ図である。
【符号の説明】
【００１２】
１  おす型係合素子を有する面ファスナー部
２  めす型係合素子を有する面ファスナー部
３  収縮部
（２）  裏面に隠れているめす型係合素子を有する面ファスナー部
【図１】
2005027981.tif 000004
【図２】
2005027981.tif 000005
【図３】
2005027981.tif 000006
【手続補正書】
【提出日】平成15年7月14日(2003.7.14)
【手続補正１】
【補正対象書類名】明細書
【補正対象項目名】全文
【補正方法】変更
【補正の内容】
【発明の詳細な説明】
【技術分野】
【０００１】
本発明は人又は物を固定する目的の面ファスナー部を有する固定帯に関するものである。
【背景技術】
【０００２】
従来、面ファスナー部を有する固定帯において係合素子の形状や、雄側係合素子と雌側係合素子の植栽方法を改善した固定帯を用い、長時間使用緩み、弛み、離開を改善する提案がなされている。
【０００３】
【特許文献１】実開昭58−080218号
【０００４】
【特許文献２】特開2003−2100号
【発明の開示】
【発明が解決しようとする課題】
【０００５】
この様な取り組みは本来各係合素子が植栽された面ファスナー部の面積を拡大することで緩み、弛み、離開を改善することが出来るが、取扱上の問題等その面積を拡大し改善するには制限があった。
【課題を解決するための手段】
【０００６】
本発明は課題を解決する為に固定帯の端部にかに挟み形式の重層構造を用いる事で解決する知見を得その効果の検証を行った。
【発明の効果】
【０００７】
本発明の重層構造を有する固定帯は著しく改善された面ファスナー面積により長時間使用しても緩まなかった
【実施例１】
【０００８】
本発明の実施例を図１、図２、図３を参照し説明する。図1は固定帯の両端をA社製面ファスナーを用い二重の重層構造を用いた例である。実施例１は重層構造を有しない固定帯の各係合面積は三倍になりその係合力は著しく改善された。
【実施例２】
【０００９】
実施例1と同様に固定帯の両端部にB社製の同一基布面に雄側係合素子と雌側係合素子を植栽された部分を有する面ファスナーを用いた。
重層構造を有しない比較例と実施例1、2を用いた軽作業時の装着試験を行った。
【００１０】
【表１】
2005027981.tif 000007
表1に明らかなように実施例1、2は装着後120分経過しても緩まず軽作業を行えたのに比較例は装着後30分で緩み60分経過時では締め直さなければ軽作業を続行出来なかった。
【図面の簡単な説明】
【００１１】
【図１】重層構造を有する固定帯の全体図である。
【図２】実施例1の係合部のイメージ図である。
【図３】実施例2の係合部のイメージ図である。
【符号の説明】
【００１２】
１  おす型係合素子を有する面ファスナー部
２  めす型係合素子を有する面ファスナー部
３  収縮部
（２）  裏面に隠れているめす型係合素子を有する面ファスナー部
【手続補正書】
【提出日】平成15年7月14日(2003.7.14)
【手続補正１】
【補正対象書類名】図面
【補正対象項目名】図２
【補正方法】変更
【補正の内容】
【図２】
2005027981.tif 000008
(57)【要約】【課題】一輪でのローラースケート様滑走具であって、接地抵抗が少なく長距離長時間滑走するに適した滑走具を実現する。単に遊技具としても使用されるが、より本格的な、自転車の様に人力による実用的移動用具として機能する。【解決手段】中空部内部で且つ、回転中心軸よりも下の位置に足固定台がある中空車輪を両足に固定して、ローラースケートと同要領で滑走する。【選択図】図１
2005027850.tif 000002
【特許請求の範囲】
【請求項１】
足固定台が中空状の車輪の中空内に位置し、且つこの車輪の中心軸より下に回転自在に取り付けられてなる中空車輪滑走具
【請求項２】
中空車輪の前または後または前後に補助用小車輪を有する請求項１記載の中空車輪滑走具
【請求項３】
原動機を有してなる請求項１及び請求項２記載の中空車輪滑走具
【発明の詳細な説明】
【０００１】
【産業上の利用分野】本発明は両足に車輪を取り付けて滑走する移動具又は運動具に関する。
【０００２】
【従来の技術】従来、両足に車輪を取り付けて滑走する移動具又は運動具移動具又は運動具としてローラースケート等があったが、車輪が両足で最低でも合計４個であり、接地抵抗が大きく、エネルギーロスがさけられず、遊戯具としての域を脱する事は出来ず、長距離を移動する例えば自転車の様な本格的移動器具としては適していなかった
【０００３】更に、小さな車輪の上に足を乗せる構造のため体のバランスを失い易く、一旦バランスを失えば、前後の車輪のいずれか一方だけに体重が懸かるので更なるバランスの崩れが進行し転倒することが多かった。
【０００４】
【本発明が解決しようとする課題】本発明に於いては、車輪の接地抵抗を減らし、且つバランスを失う事が無い様にして、従来のローラースケー等の欠点を全て解消するものであり、足に取り付けて滑走する本格的移動器具を実現しようとするものである。
【０００５】
【課題を解決する手段】片足につき１個の車輪で、両足で合計２個の車輪を足に取り付ける。そしてこの車輪の構造を、車輪の中に足が入る事が出来る様に、スポークの無い中空状の車輪にする。
【０００６】中空状の車輪の中に足固定台を回転可能に設置するために、車輪には従来のようにスポークを使用せず、リム外側面に、車輪から外側に張り出す様に回転軸支持枠を取り付けて、これにベアリングを介して足固定台を回転自在に取り付ける。そしてこの足固定台が一定の角度を保つようにリム内面にローラーで前後を支持する。
【０００７】これにより、中空状の車輪の中空部の中で、且つ、中心回転軸よりも下に足固定台が位置する事になる。そしてこの位置に足底を固定する事により、バランス崩すことなく、転倒の危険性が少なく接地抵抗の小さな、足に取り付けて滑走する本格的移動器具が実現するのである。
【０００８】
【実施例】以下図を使って本発明の実施例について説明する。本発明は図１、図２、図３に示す様にそれぞれの片足に一個づつに中空状の車輪１００を取り付け、ローラースケートと同じ要領で地面を斜め後方に蹴って推進力を得て滑走する。
【０００９】図４は本発明の断面図であるが、足Ｆを固定する足固定台２００は、ベアリング２３５を介してスポーク枠１２０に回転自在に支承され、この車輪１００の回転中心軸よりも下に位置するように取り付けられている。
【００１０】これにより、この車輪１００の中空内で且つ、回転中心軸よりも下に、足固定代２００を設置する事が可能になる。そしてこれに足Ｆを固定することにより、人体を乗せた本発明の重心位置が、車輪中空内で且つ回転中心の下に存在する事が可能となるのである。
【００１１】これにより、体のバランスを失い、体が前後に揺れたとしても、重心位置がこの車輪の回転中心より低いので、足先が前後に動くだけであり、従来のローラースケートの様にバランスを失い、前後の車輪のいずれか一方だけに体重がかり転倒に至ると云う事が無いのである。
【００１２】図５は補助用の小車輪を前後に有する本発明の例である。足固定台２００に、車輪１００の前方側に位置するように前方補助用小車輪３００と後方補助用小車輪４００を取り付ける。これにより、本発明で地面を蹴って推進力を得る際にも、足Ｆが水平に近い一定の角度をを保つ事が可能になる。
【００１３】そして、この前方小車輪３００にバネ３５０を介してブレーキパッド３５５を取り付ける。
体を前傾して足Ｆの角度が足固定台２００に対して深くなると、この小車輪３００に荷重がかかり、ブレーキパッド３５５が小車輪３００に押し付けられ、摩擦により制動がかかるのである。
【００１４】図６は、足固定台２００が三点支持用ベアリング５００により、車輪１００のリム１１０に回転自在に三点支持されている中空状車輪の例であるであるが、この様な構造に於いても、同様に車輪の中に足を入れて滑走する事の出来る中空車輪を実現可能となる。
【００１５】本発明に於いては車輪は斜めに傾いて回転するのでベアリング２５０には不正なドリフト負荷が加わる。これを防止するため、図７に示す様に、ドリフト負荷防止用ベアリング２５０をリム１１０と足置台２００との間に取り付けた例である。これにより、ベアリング２３５への不正なドリフト負荷はドリフト負荷防止用ベアリング２５０を介してリム１１０に吸収されるのでベアリング２５０が破損する事はない。
【００１６】
【発明の効果】足底が中空車輪の内側で且つ中心軸よりも下に位置するので、単輪でも立ったままの状態で自然体を保持でする事が可能であり、従来のローラースケートと同様の要領で簡単に滑走する事が出来るので、接地抵抗が少なくて高効率で、且つ転倒の危険性が少ない、長時間高速滑走が可能な滑走具を実現出来るのである。
【図面の簡単な説明】
【図１】本発明を足に取り付けた斜視図
【図２】足に取り付けた状態を前から見た図
【図３】滑走している状態を横から見た図
【図４】本発明を足に取り付けた断面図
【図５】前部にブレーキ機構を設けた補助用小車輪を有する本発明の斜視図
【図６】足固定台がベアリングで三点支持された中空車輪の図
【図７】ドリフト負荷防止用ベアリング２５０を取り付けた断面図
【符号の説明】
１００    車輪
１１０    リム
１２０    スポーク枠
１５０    泥よけ
１５５    泥よけ支持枠
２００    足固定台
２１０    固定具
２３５    ベアリング
２５０    ドリフト負荷防止用ベアリング
２９０        ブレーキ支持桿
３００    前方補助用小車輪
３５５    ブレーキパッド
３６０        ブレーキ桿
３６５    バネ
４００    後方補助用小車輪
５００        足固定台を三点支持用するベアリング
Ｆ        滑走者の足
【図１】
2005027850.tif 000003
【図２】
2005027850.tif 000004
【図３】
2005027850.tif 000005
【図４】
2005027850.tif 000006
【図５】
2005027850.tif 000007
【図６】
2005027850.tif 000008
【図７】
2005027850.tif 000009
(57)【要約】      （修正有）【課題】従来ねじによる枢着のみではさみの両刃を支持していたものを、一層確実に固定でき、緩んだ際に強固に修正できるものを得ること。【解決手段】２枚の一対の刃体Ａ，Ｂに互いに一致する枢着位置に、一方の刃体Ｂに挿通穴１を穿って軸受２を介して挿通穴１に固定軸体３を回転可能に挿着し、他方の刃体Ａにめねじ９を開設し、前記固定軸体３の中心にねじ軸４を貫挿し、ねじ軸４の一方の刃体Ｂの側にナット５及びナット５の操作つまみ６を取付け、ねじ軸４の他端に拡開具７を固定し、前記他方の刃体Ａのめねじ９に螺合する、切欠溝１１を設けたねじ部８を固定軸体３に形成し、前記拡開具７により僅少広がり、他方の刃体Ａを固定状態にすること。【選択図】  図１
2005027802.tif 000002
【特許請求の範囲】
【請求項１】
２枚の一対の刃体（Ａ）（Ｂ）に互いに一致する枢着位置に、一方の刃体（Ｂ）に挿通穴（１）を穿って軸受（２）を介して挿通穴（１）に固定軸体（３）を回転可能に挿着し、他方の刃体（Ａ）にめねじ（９）を開設し、前記固定軸体（３）の中心にねじ軸（４）を貫挿し、ねじ軸（４）の一方の刃体の（Ｂ）側にナット（５）及びナット（５）の操作つまみ（６）を取付け、ねじ軸（４）の他端に拡開具（７）を固定し、前記他方の刃体（Ａ）のめねじ（９）に螺合する、切欠溝（１１）を設けたねじ部（８）を固定軸体（３）に形成し、前記拡開具（７）により僅少広がり他方の刃体（Ａ）と固定状態にするはさみ類の両刃枢着装置。
【発明の詳細な説明】
【０００１】
【発明の属する技術分野】
本発明は理美容用はさみ、その他のはさみ類における両刃の枢着装置に新規な着想を施した、はさみ類の両刃枢着装置に関するものである。
【０００２】
【従来の技術】
はさみを構成する一対の刃体は、その枢支点で、みじかいねじで枢着する手段を長年の間変更なく行っている。
【０００３】
【発明が解決しようとする課題】
本発明の課題は従来ねじによる枢着のみではさみの両刃を支持していたものを一層確実に固定し、特に緩んだ際の容易迅速強固に修正できるものを得ることにある。
【０００４】
【課題を解決するための手段】
本発明の手段は次のとおりである。
【０００５】
２枚の一対の刃体に互いに一致する枢着位置に、一方の刃体に挿通穴を穿って軸受を介して挿通穴に固定軸体を回転可能に挿着し、他方の刃体にめねじを開設し、前記固定軸体の中心にねじ軸を貫挿し、ねじ軸の一方の刃体の側にナット及びナットの操作つまみを取付け、ねじ軸の他端に拡開具を固定し、前記他方の刃体のめねじに螺合する、切欠溝を設けたねじ部を固定軸体に形成し、前記拡開具により僅少広がり他方の刃体を固定状態にすること。
【０００６】
【発明の実施の形態】
本発明の実施の形態について説明する。図の付号Ａ，Ｂは一対の刃体で両刃体Ａ，Ｂの枢着位置に、一方の刃体Ｂに挿通穴１を穿ち、他方の刃体Ａにめねじ９を開設する。挿通穴１に軸受２を嵌め、固定軸体３を軸受２を介して刃体Ａに回転可能にする。固定軸体３の中心にねじ軸４を貫挿し、ねじ軸４の刃体Ｂ側にナット５及びナット５の操作つまみ６を取付ける。固定軸体３の一端に取付けてある操作つまみ１０を回しながら、刃体Ａ，Ｂが最適な密着状態となるように枢着し、その後、ねじ軸４の一端に取付けてある操作つまみ６を回すと、ねじ軸４の他端に固定された拡開具７が、刃体Ａのめねじ９に螺合する固定軸体３に形成した切欠溝１１を設けてあるねじ部８を拡開し、刃体Ａのめねじ９を押圧するので、固定軸体３が刃体Ａと固定状態となる。
【０００７】
【作用】
操作つまみ１０を持って固定軸体３を回せば刃体Ａ，Ｂの締め具合を調節でき、次に操作つまみ６を指先で持ってナット５を回すとねじ軸４をゆるめたり、締付けたりできる。適度の締付けで拡開具７は、ねじ部８を押し開きめねじ９を介して刃体Ａと固定する。従って、刃体Ａと刃体Ｂは最適な枢着状態を維持することができる。
【０００８】
【発明の効果】
２枚の刃体の締付け具合を迅速、容易に修正し、維持できるはさみを得る。
【図面の簡単な説明】
【図１】２枚の刃体を合せて枢着部に本発明の装置を施した縦断面図。
【図２】２枚の刃体を枢着させた状態の拡大断面図。
【図３】本発明の装置に用いる固定軸の平面図。
【図４】同じく縦断正面図。
【図５】固定軸の底面図。
【図６】固定軸の斜視図。
【図７】ねじ軸とナットの正面図。
【図８】ねじ軸とナットの平面図。
【図９】ナットと操作つまみの斜視図。
【符号の説明】
Ａ，Ｂ  刃体
１      挿通穴
２      軸受
３      固定軸
４      ねじ軸
５      ナット
６      つまみ
７      拡開具
８      ねじ部
９      めねじ
１０    つまみ
１１    切欠溝
【図１】
2005027802.tif 000003
【図２】
2005027802.tif 000004
【図３】
2005027802.tif 000005
【図４】
2005027802.tif 000006
【図５】
2005027802.tif 000007
【図６】
2005027802.tif 000008
【図７】
2005027802.tif 000009
【図８】
2005027802.tif 000010
【図９】
2005027802.tif 000011
(57)【要約】【課題】入浴するための浴槽に入れる湯を節約するには、浴槽の湯の深さを通常より浅くする為、満足な入浴ができなかった。【解決手段】本発明品を浴槽の底面に設置することによって浴槽の湯の深さを変えることなく節水と省エネルギーが可能でなおかつ、満足な入浴ができる。【選択図】  図１
2005027822.tif 000002
【特許請求の範囲】
【請求項１】
空気を注入して膨らませることができる浮き袋と、この浮き袋を浴槽の底面に固定するための吸盤を有することを特徴とする節約フロート。
【発明の詳細な説明】
【０００１】
【発明の属する技術分野】
浴槽に取り付けることによる節水、省エネルギーに関する。
【０００２】
【従来の技術】
入浴する湯を節水する際、従来は適量に入れている湯の深さを浅くするしかない。
【０００３】
【発明が解決しようとする課題】
しかしながら、以上の従来技術によれば浴槽の湯の深さを通常より浅くする為、満足な入浴ができなかった。
そこで、この発明は節水、省エネルギーをしても浴槽の湯の深さを変えることなく満足な入浴ができ簡単に取り付けことができる製品を提供することを課題とする。
【０００４】
【課題を解決するための手段】
以上の課題を解決するために、請求項１の発明は、浴槽の湯の深さを変えることなく節水と省エネルギーができ、浴槽の加工を要せず取り付けられることを特徴とする節約フロートとする。
【０００５】
【発明の実施の形態】
この発明の一実施形態を図面に示す。
節約フロートの本体１は弾力性のある樹脂製で人が当たったり、ぶつかったりしても安全であるように軟らかいものとする。これを５の空気注入口から空気を注入して膨らまし、浴槽の底面に６の吸盤で固定し適量の湯を入れて入浴する。
【０００６】
【実施例】
この実施形態によれば、節約フロートの容積分の湯とそれに伴う燃料費は従来よりも少なくてすむ。
【０００７】
【発明の効果】
以上説明したようにこの発明によれば、節約フロートの容積分の湯とそれに伴う燃料費を節約でき、地球温暖化などの環境問題にも貢献できる。
【図面の簡単な説明】
【図１】この発明の一実施形態を示す側面図である。
【図２】この発明品の本体を示す斜視図である。
【符号の説明】
１  節約フロート本体      ２  水面            ３  人            ４  浴槽
５  空気注入口      ６  吸盤
【図１】
2005027822.tif 000003
【図２】
2005027822.tif 000004
(57)【要約】【課題】力の弱い女性や高齢者でも楽に白米の移し変えが出来るとともに、白米を米びつの外にこぼさないで作業が出来るようにする。【解決手段】米びつの米貯蔵部の内部に刃先が上方向を向いた刃物を設置し、その刃物に対して白米の入ったビニール袋を上方から自然落下させてその自重によりビニール袋の底部に切断部をつくる。これを数回繰り返すことにより切断部を複数つくりそこから白米を自然落下させることにより移し変え作業を行う。この作業は、米貯蔵部の内部で行うため楽にかつ外に白米をこぼすことなく行うことができる。【選択図】      図１
2005027866.tif 000002
【特許請求の範囲】
【請求項１】
一般家庭の米びつにおいて、両端に１対のフックとほぼ中央に刃先が上方向に向いた刃物を固着せしめたバー本体を米びつ本体の米貯蔵部に取り付けたことを特徴とする米びつ
【発明の詳細な説明】
【０００１】
【発明が属する技術分野】
本発明は、一般家庭用の米びつに関するものである。
【０００２】
【従来の技術】
従来、一般家庭で使用する白米は重さが５〜３０キログラムのビニール袋入りの市販品を購入して、米びつに移し変えて使用している。この移し変えの作業のやり方としてビニール袋の上部を切り開き、全体を持ち上げてひっくり返す状態で米びつに入れるという方法がとられている。
【０００３】
しかし、その作業を行う人の多くは女性や高齢者であり、力が弱く無理な作業になってしまい白米を床にこぼしてしまう等の失敗も発生し、後片付けで無駄な労力を使わなければならない状態になってしまっていた。
【０００４】
【発明が解決しようとする課題】
この、白米を移し変える作業は力の弱い女性や高齢者にとっては体力的に負担になっている。又、白米を床にこぼしてしまい後片付けをする無駄な労力が発生しているのを解決しようとするものである。
【０００５】
【課題を解決するための手段】
本発明は、米貯蔵部に刃先を上向きに取り付けた刃物を設置して、その刃物によりビニール袋の底部を切断開封し、そこから白米を自然落下させる。この方法は移し変え作業を全て米貯蔵部の内側で行うため楽にかつ白米をこぼさないで行うことがが出来る。
【０００６】
【発明の実施の形態】
刃先が上向きの刃物を取り付けたバー本体の両端に取り付けたフック状の引っ掛け部分によって米貯蔵部に着脱が可能なようにし、それを保持する米貯蔵内壁とで構成されている。
【０００７】
【実施例】
図１は、本発明の構造及び使用方法を示した斜視図であり、１はバー本体で２は刃先を上方向に向けた刃物、３はバー本体を米びつ本体に引っ掛けて取り付けるためのフックである。
【０００８】
白米の移し変え作業を図１で説明すると、白米の入ったビニール袋４を刃物２に対して上方より自然落下させて自重によりビニール袋の底部に切断部をつくる。これを数回繰り返して複数の切断部をつくりその切断部から白米を自然落下させることにより移し変え作業を行う。体力的には、複数の切断部を作るために数回ビニール袋を持ち上げなければならないがそれ以外はビニール袋の重量はバー本体に乗せておくことができる。
【０００９】
刃物２の、刃先の形状は山形の形状をしていてこの山形の形状を複数設けることによりビニール袋の底部の切断が容易になっている。
【００１０】
フック３によりバー本体１は米びつ本体５に着脱可能な状態で取り付けられている。これは、米貯蔵部を掃除するときバー本体１を取り外すことで刃物２による怪我を防止するものである。
【００１１】
フック３の取り付け位置は、米びつ本体５の上辺中央部にフック３の大きさのくぼんだ部分を設けて、そこに引っ掛けるようになっている。このくぼみによりフック３を取り外した後取り付ける場合も同じ位置に取り付けることができるし、位置が固定されるため使用時にズレが発生することもない。
【００１２】
図２は、バー本体の他の実施例であるが、バー本体を十字型にすることにより強度を増強するとともに、バー本体の取り付け位置に関してもより安定性の確保ができるものである。
【００１３】
【発明の効果】
以上のように本発明は、米貯蔵部の内部で移し変え作業を行うために、白米が米びつの外にこぼれることがない。又、作業中ビニール袋はバー本体の上にのせた状態で行うためその重さを支えておく必要がなくなり疲労が極めて少なくなり女性や高齢者でも楽に移し変え作業を行うことが出来る。
【図面の簡単な説明】
【図１】本発明を使用中の斜視図である。
【図２】バー本体の他の実施例の斜視図である。
【図３】バー本体中央部の断面図である。
【符号の説明】
１    バー本体
２    刃物
３    フック
４    白米入りビニール袋
５    米びつ本体
【図１】
2005027866.tif 000003
【図２】
2005027866.tif 000004
【図３】
2005027866.tif 000005
(57)【要約】【課題】小枝や剪定ごみ等樹木屑をごみ袋に入れる場合、掃き寄せたゴミをいったん塵取りもしくは箕などで掬いとり、これを袋の口をあけて落とし込むという作業を行っている。  この方法ではゴミを塵取りに取る作業と袋の口をあける作業及びあけた口にこぼさず入れる作業とを必要とし一人仕事は困難であった。又、動力化された伐採・整枝・剪定などの作業に比べ、収納作業は多くの手間と労力を費やすものであった。  さらにコスト並びに資源節約とＣＯ２削減の必要から袋は薄いプラスティック系の材料が使用され小枝や木ぎれなどが刺さって袋に裂傷口を作るなどの困難があった。【解決手段】弾性があり丈夫で堅い性質を持つ薄板をゴミ袋の内側に挿入して膨張させて内壁を覆うので裂傷もなくなり、山積みしてある小枝や剪定屑などを一人作業で手で容易にゴミ袋に掻き込める様になった。【選択図】  図１
2005027680.tif 000002
【特許請求の範囲】
【請求項１】
ゴミ袋１に挿入して内壁を覆う板２にゴミ袋に小枝などの樹木ごみを掻き込む受け口３，４を装着したことを特徴とするゴミ収納具
【発明の詳細な説明】
【０００１】
【発明が属する技術分野】
本発明は、植木の小枝などのゴミをゴミ袋などに効率的に入れることのできる道具を提供するものである。
【０００２】
【従来の技術】
従来、小枝や剪定屑、落ち葉などの樹木屑をごみ袋に入れる場合、熊手や箒などで掃き寄せたゴミをいったん塵取りもしくは箕などで掬いとり、これを袋の口をあけて落とし込むという作業を行っている。
この方法ではゴミを塵取りに取る作業と袋の口をあける作業及びあけた口にこぼさず入れる作業とを必要としていた。
動力化されて容易となった伐採・整枝・剪定などの作業に比べ、大量の街路樹剪定屑や落ち葉などの収納作業は多くの手間と労力を費やすものであった。
【０００３】
さらにコスト並びに物資節約とＣＯ２削減の必要から袋は薄いプラスティック系の材料のものが使用される事が多く、落ち葉に混ざった小枝や木ぎれなどが刺さって袋に裂傷口を作るなどうまく入らないなどの問題があった。
【０００４】
【発明が解決しようとする課題】
本発明では、直接薄いゴミ袋にゴミなどを入れる方法で、且つ、ゴミとして小枝などが混在しても薄くやわらかい袋に刺さったり破ったりすることの無い用具を提供する。
【０００５】
【課題を解決するための手段】
本発明は、丈夫な弾性があり堅い性質を持つ薄板をゴミ袋の内側に挿入するとともに、これに植木剪定屑などを効率よく入れるための漏斗の役目をする開口部を設けることで、山積みしてある小枝や剪定屑などを手などで容易に掻き込める構造とした。
【０００６】
【発明の実施の形態】
薄く柔らかなゴミ袋の内壁を本考案の薄く弾性のある硬い板が覆うため、小枝などの突起物などもするすると手で掻き込むことができ、ゴミなどの収容密度を上げるため押し込むことも出来る様になった。
十分に詰め込んだ上で本収納具を引き抜けば、小枝などはその位置で固定されゴミ袋の口を封じて可燃物焼却場などに容易に輸送することが出来る。
【０００７】
【実施例】
実施例について図面を参照して説明する。
図１は本考案の樹木ごみ収納具をゴミ袋に装着したところの説明図である。
ごみ袋１の内部に樹木ごみ収納具の、弾性のある薄くて硬い丈夫な板２が挿入されており、この板２には漏斗の役目をする掻き込み部として設けた側板３、底板４が接合部５で取り付けられている。
次に使用法について説明する。
図２は収納具を自然のままに放置した場合の形状をあらわす斜視図である。
使用に当たっては図２の板２を内側に曲げて図３の板２’の如く筒の外形を小さくし、これをゴミ袋１に挿入し放すと板２の弾性で形状を復元してゴミ袋内部で膨張し密着して内壁を覆う。
この状態で、積み上げた樹木ごみの山に掻き込み口底板４を山の下端にあて手などで樹木ごみ等を掻き込みほぼ一杯になったらいったん袋ごと立てて内部のゴミを押し込む。  これで袋内はほぼ半分の容積になるから再度ゴミの山の下端に掻き込み口をあてゴミを掻き込む。    ４０〜６０リットルのゴミ袋を一杯にするのも数十秒と極めて短時間で完了する。
更に、別の方法としては複数の薄板をごみ袋内で組み立てて同様の効果を得る構造及び、コの字型短冊とした板を吹き流し状に組み立ててこの用途に使用することも出来る。
【０００８】
【発明の効果】
小枝や剪定屑などをはじめとするゴミをこのチリ取り漏斗に掻き込むことで極めて簡単に樹木などの整枝廃棄物を薄いゴミ袋の中に収納することができる。
さらに、硬い薄板がゴミ袋の内壁を覆っているので、従来より、縛るには小さすぎて、又、ゴミ袋に入れるとゴミ袋がすぐ裂けてしまい扱いが困難であった小枝などの樹木ごみを案ずることなくゴミ袋がいっぱいになるまで詰め込むことができる。
ＣＯ２削減のためにも、生活の潤いのためにも各家庭の樹木を増やす必要が言われているが、夏期の樹木成長期のゴミ処理が難題であった。  本収納具を使用すると家庭用ないしは街路樹の整枝・剪定が楽しいものに変わってくると言う効果もある。
【図面の簡単な説明】
【図１】本考案の使用例である。
【図２】本考案の自然形状をあらわす図である。
【図３】使用するためにゴミ袋を装着する方法の説明図である。
【符号の説明】
１  ゴミ袋
２  内壁保護板
３  掻き込み用補助具側板
４  掻き込み用補助具底板
５  接合部
【図１】
2005027680.tif 000003
【図２】
2005027680.tif 000004
【図３】
2005027680.tif 000005